(57)【要約】【課題】事前の走行音データ収集が不要であり、また異音発生の判定精度の大幅な向上を可能とした車両の異音判定技術を提供する。【解決手段】車両走行音の周波数−音圧レベル特性である周波数スペクトラムにおいて、黒塗り部分がバックグラウンドノイズであり、バックグラウンドノイズ領域の上方に鋸歯状に飛び出している部分が検出しようとする低級音等の異音が発生している部位である。各周波数毎の音圧レベルの分布状況から各周波数毎のバックグラウンドノイズを推定してバックグラウンドノイズ推定値Ｇとして算出し、これを所定オフセット量ｅだけ上方にオフセットさせてしきい値レベルＳとして設定する。そして、しきい値レベルＳを超えている超過面積を算出し、判定値と比較して低級音等の異音発生の有無を判定する。【選択図】図３
2014222189.tif 000002
【特許請求の範囲】
【請求項１】
車両の走行に伴って発生する車両走行音に特定の異音が含まれているか否かを判定する装置であって、
上記車両走行音が音データとして記憶されている記憶手段と、
上記音データを周波数分析して所定の周波数範囲の周波数−音圧レベル波形として算出する周波数分析手段と、
上記周波数−音圧レベル波形について各周波数毎の代表値を結んだ線をバックグラウンドノイズ推定値として算出した上で、このバックグラウンドノイズ推定値を上記周波数−音圧レベル波形における音圧レベルの高位側に所定オフセット量だけオフセットさせてしきい値レベルとして設定するしきい値設定手段と、
上記周波数−音圧レベル波形においてしきい値レベルを超えた部分の面積を異音領域に相当する超過面積として算出する面積算出手段と、
上記超過面積と予め設定されている判定値とを比較して異音の有無を判定する判定手段と、
を備えていることを特徴とする車両の異音判定装置。
【請求項２】
上記しきい値設定手段では、上記所定の周波数範囲の頻度分布の標準偏差に定数を乗じた値を所定オフセット量として設定するものであることを特徴とする請求項１に記載の車両の異音判定装置。
【請求項３】
上記面積算出手段で算出される超過面積には官能評価に即した重み付けが予め付加されていることを特徴とする請求項２に記載の車両の異音判定装置。
【請求項４】
上記車両走行音は集音手段によって集音されたものであることを特徴とする請求項１〜３のいずれか一つに記載の車両の異音判定装置。
【請求項５】
車両の走行に伴って発生する車両走行音に特定の異音が含まれているか否かを判定する方法であって、
上記車両走行音の音データを周波数分析して所定の周波数範囲の周波数−音圧レベル波形として算出する工程と、
算出した周波数−音圧レベル波形について各周波数毎の代表値を結んだ線をバックグラウンドノイズ推定値として算出した上で、このバックグラウンドノイズ推定値を上記周波数−音圧レベル波形における音圧レベルの高位側に所定オフセット量だけオフセットさせてしきい値レベルとして設定する工程と、
上記周波数−音圧レベル波形においてしきい値レベルを超えた部分の面積を異音領域に相当する超過面積として算出する工程と、
上記超過面積と予め設定されている判定値とを比較して異音の有無を判定する工程と、
を含むことを特徴とする車両の異音判定方法。
【請求項６】
上記バックグラウンドノイズ推定値をオフセットさせてしきい値レベルとして設定する際の所定オフセット量は、上記所定の周波数範囲の頻度分布の標準偏差に定数を乗じた値であることを特徴とする請求項５に記載の車両の異音判定方法。
【請求項７】
上記超過面積の算出に際して官能評価に即した重み付けを予め付加することを特徴とする請求項６に記載の車両の異音判定方法。
【請求項８】
上記車両走行音は集音手段によって集音されたものであることを特徴とする請求項５〜７のいずれか一つに記載の車両の異音判定方法。
【発明の詳細な説明】
【技術分野】
【０００１】
本発明は、車両の異音判定装置および異音判定方法に関し、特に車両走行時における車室内でのいわゆる低級音と称される異音の発生の有無を判定する装置とその方法に関するものである。
【背景技術】
【０００２】
車両走行時における車室内での「びびり音」や「きしみ音」等の異音はいわゆる低級音と称されている。このような低級音に代表されるところの、バックグラウンドノイズ（異音以外の外部環境音とも言うべき車両走行音）に重畳した異音の探知に関しては、バックグラウンドノイズのエネルギーが支配的であるため、音響エネルギーの時系列変化等を観測した上での単純なしきい値判定ではその異音発生の有無の判定が困難である。そのため、ショートタイムＦＦＴ（ショートタイムフーリエ変換分析）を適用し、瞬時ごとの周波数スペクトルが判定しきい値レベルを超えた回数を判断することで異音の発生の有無を判定する手法が特許文献１にて提案されている。
【先行技術文献】
【特許文献】
【０００３】
【特許文献１】特開２０１０−９６５４７号公報
【発明の概要】
【発明が解決しようとする課題】
【０００４】
特許文献１に記載された技術では、異音発生を判定するしきい値ライン（特許文献１の評価ライン）につき、事前に形状を決定した周波数スペクトルでのしきい値ラインを車両の大きさや走行路面等の状況に応じて上下にシフトまたはオフセットさせることで環境変化に対する補正を行っている。しかしながら、補正前のしきい値ラインを決定するためには、多数の車両の走行音データを予め収集する必要があり、走行音データ収集のための工数が増加することとなって好ましくない。
【０００５】
また、例えば車両の内装品の仕様が異なるとバックグラウンドノイズのスペクトルも異なるほか、走行時の車速がしきい値ライン設定時の車速と異なるとバックグラウンドノイズの一部であるロードノイズも変動してしまうことになる。このことは、例えば車両の仕様違いや走行速度のばらつき等に応じてバックグラウンドノイズのスペクトルに差異が生じても、これらの相違に対してしきい値ラインの形状を忠実に追従させることができないことにほかならない。その結果として、異音発生の有無の判定精度の向上に限界があるほか、過検知または未検知等が増加する可能性があり、判定精度の向上の上でなおも改善の余地を残している。
【０００６】
本発明はこのような課題に着目してなされたもので、とりわけ事前の走行音データ収集が不要であり、また異音発生の判定精度の大幅な向上を可能とした車両の異音判定技術を提供するものである。
【課題を解決するための手段】
【０００７】
本発明では、車両走行音に特定の異音が含まれているか否かを判定するに際して、車両走行音の音データを周波数分析して所定の周波数範囲の周波数−音圧レベル波形とし、算出した周波数−音圧レベル波形について各周波数毎の代表値を結んだ線をバックグラウンドノイズ推定値として算出した上で、このバックグラウンドノイズ推定値を上記周波数−音圧レベル波形における音圧レベルの高位側に所定オフセット量だけオフセットさせてしきい値レベルとして設定する。その上で、上記周波数−音圧レベル波形においてしきい値レベルを超えた部分の面積を異音領域に相当する超過面積として算出し、上記超過面積と予め設定されている判定値とを比較して異音の有無を判定するものとした。
【発明の効果】
【０００８】
本発明によれば、事前に多数の車両の走行音を収集する必要がないため、従来では必須とされた走行音収集のための工数を削減することができる。また、車両走行速度のばらつき、車両仕様の違いなどで車両のバックグラウンドノイズに差異が生じた場合でも、上記ばらつき等に忠実に追従させるべく、個々にばらつきのある車両特性に沿ったしきい値レベルを設定することができるため、過検知または未検知を低減できるとともに、判定精度が大幅に向上する。
【図面の簡単な説明】
【０００９】
【図１】本発明に係る異音判定装置を実施するための具体的な形態として、その概略構造を示す説明図。
【図２】車両の後部から発生する異音（低級音）検出に際して、図１の判定装置の搭載状態の一例を示す説明図。
【図３】車両走行音をショートＦＦＴ分析処理して周波数−音圧レベル特性として求めた周波数スペクトラムの一例を示す説明図。
【図４】図３の周波数スペクトラムのうち異音（低級音）発生のない部位の音圧レベル−頻度特性として求めた音圧ヒストグラム。
【図５】図３の周波数スペクトラムのうち異音（低級音）発生のある部位の音圧レベル−頻度特性として求めた音圧ヒストグラム。
【図６】図３の周波数スペクトラムのうち低周波領域の音圧レベル−頻度特性として求めた音圧ヒストグラム。
【図７】図６の音圧ヒストグラムでの周波数−標準偏差特性を示す特性図。
【図８】図３と同様の周波数−音圧レベル特性として求めた周波数スペクトラムの説明図。
【図９】図８に基づき算出した各周波数毎のしいき値超え面積の和を示す説明図。
【図１０】図９のしいき値超え面積に関する係数の説明図。
【図１１】図１〜１０で説明した事項の一連の処理手順を示すフローチャート。
【発明を実施するための形態】
【００１０】
図１〜１１は本発明に係る車両の異音判定装置を実施するためのより具体的な形態を示し、特に図１は異音判定装置の概略構造を、また図２は異音判定装置の車両への搭載例を示している。
【００１１】
図１に示した異音判定装置は、集音手段としてのマイクロホン３およびＡ／Ｄ変換器２のほか、主要素であるデータ処理装置１にて構成されている。データ処理装置１は可搬性を考慮して例えばノートタイプあるいはタブレットタイプのパーソナルコンピュータをもって構成される。このパーソナルコンピュータからなるデータ処理装置１は、周知のようにＣＰＵ４、ＲＯＭ５、ＲＡＭ６のほかハードディスク等の記憶装置７を内蔵していて、例えば（ショートタイム）ＦＦＴ解析ツールを含む各種のデータ処理ソフトウェアが予めインストールされているとともに、入力装置８としての図示外のキーボードやマウスのほか表示手段としてのディスプレイ９が付帯している。さらに、必要に応じて、図示しないプリンタや外部記憶装置が付帯することもある。そして、周知のように、入出力インターフェース１０を介してデータ処理装置１のそれぞれの構成要素間で必要な情報の授受が行われることになる。
【００１２】
車両走行音の収集にあたっては、図２に示すように、例えば車両１１の後部から発生する異音（低級音）の検出に使用する場合には、マイクロホン３を後部座席中央部の乗員頭部相当部付近に設置するとともに、Ａ／Ｄ変換器２おびデータ処理装置１は容易に落下することがないように後部座席に設置するものとする。
【００１３】
その上で、路面状況毎に、例えば舗装路、石畳路、砂利路等毎に実際に車両１１を所定速度で走行させるととともに、集音手段であるマイクロホン３をＯＮにして、車両走行中の走行音を集音するべく、その走行音をＡ／Ｄ変換器２にてＡ／Ｄ変換しながらリアルタイムでデータ処理装置１に録音（収録）する。
【００１４】
データ処理装置１に録音した走行音の音データのうち例えば特定の路面状況に応じた走行音を切り出し、時間的に変化している音データを周波数毎に整理し直して支配的な周波数に含まれる低級音等の異音を探査するべく、ショートタイムＦＦＴ処理（ショートタイム高速フーリエ変換分析）すると、各ウインドごとの周波数−音圧レベル特性が図３に示すような周波数スペクトルとして得られる。そして、図３では、黒く塗りつぶされている波形の大部分を占めている部分が車両走行時の支配的なバックグラウンドノイズ（求めようとする異音以外の外部環境音とも言うべき車両走行音で、ロードノイズが主とされる。）であり、黒く塗りつぶされた部分（バックグラウンドノイズ）から上方に鋸歯状に飛び出している部分が検出しようとする低級音等の異音が発生している部位となる。
【００１５】
その一方、図３の周波数スペクトルについて周波数毎の音圧レベルの頻度に着目すると、図４に示すように各周波数毎の音圧レベルが正規分布に近い状態で分布しており、その分布状況から各周波数毎のバックグラウンドノイズを推定し、その各周波数毎のバックグラウンドノイズ同士を結んだ線を図３の周波数スペクトルに重ね描きするように描画することで、これをバックグラウンドノイズ推定値Ｇとする。
【００１６】
そして、図３の周波数スペクトルにおいて、上記バックグラウンドノイズ推定値Ｇを上方に所定のオフセット量ｅだけオフセット（またはシフト）させて、これをバックグラウンドノイズと低級音等の異音とを識別するためのしきい値レベルＳとして設定する。これにより、バックグラウンドノイズと異音識別のためのしきい値レベルＳとを形状的にマッチングさせることができる。
【００１７】
その上で、図３の周波数スペクトルについて、先に述べたようにしきい値レベルＳを上方に超えている部分を異音が発生している部位とするならば、各ウインド毎のしきい値レベルＳを超えている部分の面積の総和が低級音等の異音の発生回数とその大きさを反映していることになる。
【００１８】
そこで、本実施の形態では、後述するように、図３の周波数スペクトルのうちしきい値レベル２を超えている部分の面積を超過面積として求めることで異音発生の有無を判定するものとする。すなわち、上記しきい値レベルＳよりも上側の超過面積を算出した上で、予め設定してある判定値と比較することで、低級音に代表される異音の発生の有無またはその大きさを特定することができる。
【００１９】
ここで、上記バックグラウンドノイズ推定値Ｇの推定または決定にあたって、図４の分布状況における各周波数毎のバックグラウンドノイズの平均値あるいは中央値に基づいてバックグラウンドノイズ推定値Ｇの推定または決定したのでは、そのバックグラウンドノイズ推定値Ｇの精度または信頼性に限界がある。例えば、図５に示すように特定の周波数で異音が発生している場合には、その影響で平均値あるいは中央値が上方にオフセット（シフト）している可能性が高く、上記バックグラウンドノイズ推定値Ｇへの影響を無視することができない。そこで、本実施の形態では、図４の分布特性について、分布の最頻値（ピーク値）の標準偏差をその周波数でのハックグラウンドノイズとしている。そして、各周波数でのハックグラウンドノイズを図３の横軸である周波数方向で結線することでバックグラウンドノイズ推定値Ｇとしている。
【００２０】
また、先に述べたバックグラウンドノイズのレベル変動が大きい場合には、バックグラウンドノイズ推定値Ｇ自体がしきい値レベルＳを超えてしますおそれがある。そこで、しきい値レベルＳの設定のためのバックグラウンドノイズ推定値Ｇのオフセット量ｅをバックグラウンドノイズの状態に合わせて調整する必要がある。そこで、以下の手法にて車両走行条件等に応じて上記のオフセット量ｅを調整するものとする。
【００２１】
図６は音圧レベル−頻度特性として図４と同様の音圧ヒストグラム（ただし、図４と比べ比較的低周波領域のものを示している。）を示していて、同図に示すように、異音が発生していない周波数領域での音圧レベルの頻度分布形状は正規分布に近く、その標準偏差でバックグラウンドノイズの変動のばらつきを定量化することが可能である。周波数毎の標準偏差の分布を観察すると、図７に示すように、低周波領域では異音が発生している領域に比較してバックグラウンドノイズが支配的であるため、異音の有無での標準偏差の差異は発生していない。そこで、異音の有無での標準偏差の差異が発生していない当該低周波領域での標準偏差を先に述べたオフセット量として設定することを前提としつつ、異音発生領域での標準偏差との相関を考慮して、上記低周波領域での標準偏差に所定の定数を乗じた値を上記オフセット量ｅとして設定するものとする。
【００２２】
さらに、人間の聴覚は特に高周波領域で低下する傾向にある。そこで、先に決定したしきい値レベルＳを超えた面積、すなわち図３のしきい値レベルＳよりも上側の超過面積を算出する前に、図８，９に示すように各周波数毎にしきい値レベルＳを超えた面積を一旦積算する一方で、図１０に示すように、高周波領域での聴覚感度低下の影響を低減するべく人間の聴覚特性に基づいた係数Ｃを予め定めておき、この係数Ｃを各周波数毎にしきい値レベルＳを超えた積算面積に乗じた上で、図３，８のしきい値レベルＳよりも上側の超過面積を算出するものとする。
【００２３】
この係数Ｃの値は、図１０に示すように、例えば周波数ｆが基準周波数ｆｃよりも小さい場合（ｆ＜ｆｃ）にはＣ＝１．０とし、周波数ｆが基準周波数ｆｃよりも大きい場合（ｆ≧ｆｃ）にはＣ＝傾き−Ｄ［ｄＢ／ｄｅｃ］とする。このように、各周波数毎のしきい値レベルＳを超えた積算面積に係数Ｃを乗じることは、当該各周波数毎のしきい値レベルＳを超えた積算面積に補正を加えるべくいわゆる重み付け処理を施したことにほかならず、ここでの上記ｆｃおよびＤの値は官能実験で予め求めた値を用いている。
【００２４】
ここで、これまでの一連の説明を図１のデータ処理装置１による処理手順としてフローチャート化したものを図１１に示す。
【００２５】
図１１に示すように、ステップＳ１〜ステップＳ４での処理はいわゆる前処理に相当していて、特にステップＳ１〜ステップＳ３までの処理は図１のマイクロホン３によるリアルタイムでの収録に相当している。また、ステップＳ４は後述する各種演算に必要な設定値であるところのオフセット量データおよび判定値データ等をデータ処理装置１の所定の格納部位から読み出す処理に相当している。
【００２６】
ステップＳ５では、オペレータの操作により計測対象路面データを読み出す。例えば先に述べた舗装路、石畳路、砂利路等のような路面状況毎の車両走行音のうち特定の音データを読み出した上で、ステップＳ６〜ステップＳ９の処理としてショートタイムＦＦＴ処理を実行し、各周波数毎の算出エネルギーをストアし、図３のような周波数スペクトラムを作成する。この場合において、並行して以降の処理に必要な図４〜７のような音圧ヒストグラム等を演算・作成するものとする。
【００２７】
これにより、ステップＳ６〜ステップＳ９での処理は、車両走行音の音データを周波数分析して所定の周波数範囲の周波数−音圧レベル波形として算出する周波数分析手段としての機能に相当することになる。
【００２８】
そして、ステップＳ１０の処理として、図４〜６の音圧ヒストグラムに基づいて各周波数毎の分布の最頻値（ピーク値）を算出するとともに、ステップＳ１１の処理として、低級音（異音）成分抽出のための周波数特性を決定する。すなわち、図３に示すように、各周波数毎の代表値を横軸方向に結んで線状のものとし、これをもってバックグラウンドノイズ推定値Ｇとして推定または決定する。ここで、各周波数毎の代表値を横軸方向に結んだ線をバックグラウンドノイズ推定値Ｇとして推定または決定している、としているのは、各周波数毎の最頻値（ピーク値）を横軸方向に結んだ線のほか、各周波数ごとの平均値をスムージングして得られた線をもバックグラウンドノイズ推定値Ｇとして推定または決定して使用することができるためである。
【００２９】
さらに、続くステップＳ１２の処理として、図３におけるバックグラウンドノイズ推定値Ｇを予め設定されているオフセット量ｅだけ上方にオフセットさせ、このオフセット後のバックグラウンドノイズ推定値Ｇをしきい値レベルＳとして設定する。
【００３０】
この場合において、図６，７に示すように、異音が発生していない周波数領域での音圧レベルの頻度分布形状は正規分布に近く、その標準偏差でバックグラウンドノイズの変動のばらつきを定量化することが可能であることは先に述べた。そして、周波数毎の標準偏差の分布を観察すると、図７に示すように、低周波領域では異音が発生している領域に比較してバックグラウンドノイズが支配的であるため、異音の有無での標準偏差の差異は発生していないので、異音の有無での標準偏差の差異が発生していない当該低周波領域での標準偏差を先に述べたオフセット量として設定することを前提としつつ、異音発生領域での標準偏差との相関を考慮して、上記低周波領域での標準偏差に所定の定数を乗じた値を上記オフセット量ｅとして設定するものとする。そのため、後述するように、バックグラウンドノイズのレベルのばらつきが大きい場合に、そのばらつきに応じたしきい値レベルＳを設定できるため、異音である低級音の過剰検知を回避できるようになる。
【００３１】
これにより、ステップＳ１１，Ｓ１２での処理は、上記周波数−音圧レベル波形について各周波数毎の代表値を結んだ線をバックグラウンドノイズ推定値Ｇとして算出した上で、このバックグラウンドノイズ推定値Ｇを上記周波数−音圧レベル波形における音圧レベルの高位側に所定オフセット量ｅだけオフセットさせてしきい値レベルＳとして設定するしきい値設定手段としての機能に相当することになる。
【００３２】
ステップＳ１３では、公知の特徴抽出の手法により、図３の周波数スペクトラムに基づいて検出対象とする低級音（異音）以外の特徴的な音の有無を判断し、かかる低級音（異音）以外の特徴的な音が含まれている場合には、ステップＳ１４の処理として当該特徴的な音をカットする。このように検出対象とする低級音（異音）以外の特徴的な音をカットするのは、検出対象とする低級音の識別・抽出精度を高めるためにほかならず、検出対象とする低級音（異音）以外の特徴的な音とは、例えば石跳ね（チッピング）音、あるいはシートその他のビニール類の擦れ音等を挙げることができる。
【００３３】
ステップＳ１５では、後述するステップＳ２１での判定処理に必要な判定値を初期化して保持する。判定値とは、図３の周波数スペクトラムのうちしきい値レベルＳを上方側に超えている超過面積についてその適否判定をする際の基準値である。先のステップＳ４の初期設定値読み込みの際に判定値が読み込まれているが、ステップＳ４で読み込まれた判定値は一サイクル前のサイクルの判定の際に既に補正が加えられているので、次のサイクルの判定の際にそのまま使用することは好ましくない。そこで、前のサイクルで補正した補正代分をキャンセルするべく、判定値について予め設定されている設定値に戻すべく一旦初期化するものとする。
【００３４】
ステップＳ１６およびＳ１７では、先のステップＳ８でストアしたＦＦＴストアデータについて、図３の周波数スペクトラムのうちしきい値レベルＳを上方側に超えている部分の面積を超過面積として算出する。この超過面積は、先に述べたようにバックグラウンドノイズに含まれている低級音等の異音の発生回数とその大きさを反映しているものにほかならない。
【００３５】
そして、この超過面積の算出に際しては、先に述べたように、超過面積を算出する前に、図８，９に示すように各周波数毎にしきい値レベルＳを超えた面積を一旦積算する一方で、図１０に示すように、高周波領域での聴覚感度低下の影響を低減するべく人間の聴覚特性に基づいた係数Ｃを予め定めておき、この係数Ｃを各周波数毎にしきい値レベルＳを超えた積算面積に乗じた上で、図３のしきい値レベルＳよりも上側の全体の超過面積を算出するものとする。これにより、超過面積を算出する前に、各周波数毎のしきい値レベルＳを超えた積算面積に補正を加えるべくいわゆる重み付けが付加されたことになる。言い換えるならば、算出された全体の超過面積には官能評価に即した重み付けが予め付加されていることになる。そのため、後述するように算出する超過面積を官能評価結果と同等の精度で求めることが可能となる。
【００３６】
これにより、ステップＳ１７，Ｓ１８での処理は、上記周波数−音圧レベル波形においてしきい値レベルＳを超えた部分の面積を異音領域に相当する超過面積として算出する面積算出手段としての機能に相当することになる。
【００３７】
そして、ステップＳ１９では、ステップＳ１８と同じ重み付け付加をステップＳ１５で初期化した判定値についても施すものとし、この判定値に関して予め設定されている設定値について、ステップＳ１８での重み付けと同様の補正を加えるものとする。
【００３８】
この後、先のＦＦＴストアデータについての処理をステップＳ２０で終えたならば、次のステップＳ２１では、図３の周波数スペクトラムにおける超過面積をステップＳ１９の処理で補正されたステップＳ１５の判定値と比較して、その適否判定、すなわち低級音（異音）の発生の有無の判定を行うものとする。すなわち、算出した図３の超過面積が判定値を超えていなければステップＳ２２のように「ＯＫ（低級音の発生なし）」と判定され、他方、算出した図３の超過面積が判定値を超えている場合にはステップＳ２３のように「ＮＧ（低級音の発生あり）」と判定されることになる。そして、これらの判定結果を図１のディスプレイ９に表示したり、あるいは必要に応じて記憶装置７に記憶処理するものとする。
【００３９】
これにより、ステップＳ２１での処理は、上記超過面積と予め設定されている判定値とを比較して異音の有無を判定する判定手段としての機能に相当することになる。
【００４０】
このように本実施の形態によれば、多数の車両の走行音を収集することなしに、図３のようにバックグラウンドノイズの波形に対してしきい値レベルＳを形状的にほぼ一致させることが可能である。つまり、本実施の形態によれば、従来のように事前に多数の車両の走行音を収集する必要がないため、走行音収集のための工数を廃止することができる。
【００４１】
その上、車両走行速度のばらつき、車両仕様の違いなどで車両のロードノイズを主としたバックグラウンドノイズに差異が生じた場合でも、上記ばらつき等に忠実に追従させるべく、個々にばらつきのある車両特性に沿ったしきい値レベルＳを設定することができる。そのため、異音である低級音の発生を見逃すことがないように例えばしきい値レベルを低めに設定してとしても、過検知または未検知を低減できるとともに、異音である低級音の発生の有無の判定精度が大幅に向上し、その信頼性も高いものとなる。
【００４２】
また、バックグラウンドノイズ推定値Ｇを所定オフセット量ｅだけオフセットさせてしきい値レベルＳとして設定する際に、図６，７に基づいて説明したように、所定の周波数範囲の頻度分布の標準偏差に定数を乗じた値を所定オフセット量ｅとして設定しているため、バックグラウンドノイズのレベルのばらつきが大きい場合に、そのばらつきに応じたしきい値レベルＳを設定できるため、異音である低級音の過剰検知を回避できる利点がある。
【００４３】
さらに、図８のほか図９，１０に基づいて説明したように、しきい値レベルＳの上側の超過面積の算出に際して、いわゆる官能評価に即した重み付けが予め付加されているために、算出する超過面積を官能評価結果と同等の精度で求めることができる。例えば高周波領域が主体の低級音（異音）の場合、官能評価に比較して各周波数毎の積算面積であるところの超過面積が大きくなる傾向にあったが、先に述べた適切なｆｃおよびＤの値を設定することで、低級音の音色にかかわらず、官能評価結果と高い相関をもって超過面積を求めることができ、結果として低級音の発生の有無の判定結果の精度が高くなり、その判定結果の信頼性も高いものとなる。
【符号の説明】
【００４４】
１…データ処理装置
２…Ａ／Ｄ変換器
３…マイクロホン
ｅ…オフセット量
Ｇ…バックグラウンドノイズ推定値
Ｓ…しきい値レベル
【図１】
2014222189.tif 000003
【図２】
2014222189.tif 000004
【図３】
2014222189.tif 000005
【図４】
2014222189.tif 000006
【図５】
2014222189.tif 000007
【図６】
2014222189.tif 000008
【図７】
2014222189.tif 000009
【図８】
2014222189.tif 000010
【図９】
2014222189.tif 000011
【図１０】
2014222189.tif 000012
【図１１】
2014222189.tif 000013